(57)【要約】【課題】本発明は直売所システムに関し、安価に組み上げることができ、操作性のよい直売所システムを提供することを目的としている。【解決手段】少なくとも生産者を特定するための生産者コードと生産物の名称及びその単位価格を含む情報をバーコードで記したラベルを生産物に貼って販売し、バーコードを読み取り精算処理するＰＯＳシステム１と、該ＰＯＳシステム１から定期的に送られる販売情報を受信し、それらの受信した販売情報を集計処理する集計サーバ２と、該集計サーバ２から定期的に集計データを受信保持し、交換機能を持ち、電話がかかってきた時、同時に送られてくる生産者コードにより指定される生産者の販売情報を音声で通知する販売情報提供サーバ３と、を含んで構成される。【選択図】      図１
2004206657.tif 000002
【特許請求の範囲】
【請求項１】
少なくとも生産者を特定するための生産者コードと生産物の名称及びその単位価格を含む情報をバーコードで記したラベルを生産物に貼って販売し、バーコードを読み取り精算処理するＰＯＳシステムと、
該ＰＯＳシステムから定期的に送られる販売情報を受信し、それらの受信した販売情報を集計処理する集計サーバと、
該集計サーバから定期的に集計データを受信保持し、交換機能を持ち、電話がかかってきた時、同時に送られてくる生産者コードにより指定される生産者の販売情報を音声で通知する販売情報提供サーバと、
を含んで構成される直売所システム。
【請求項２】
前記販売情報提供サーバ内に、各生産者毎の販売情報を蓄積記憶するデータベースを設けることを特徴とする請求項１記載の直売所システム。
【請求項３】
前記生産者コードの代わりに発信の電話番号により生産者を特定し、その生産者の販売情報を音声で通知することを特徴とする請求項１記載の直売所システム。
【請求項４】
生産者が直売所に展示した生産物の数量を生産物別に入力する手段を有し、販売数量と併せて展示品の残りの個数を音声で通知することを特徴とする請求項１乃至３の何れかに記載の直売所システム。
【請求項５】
生産者が直売所に展示した生産物の数量が既に設定されている場合、追加した個数を入力することを特徴とする請求項４記載の直売所システム。
【請求項６】
生産者の展示した生産物毎に設定値を入力する手段を有し、展示品の残量が設定値になった時、予め指定された電話番号に電話をかけ、その旨を通知することを特徴とする請求項５記載の直売所システム。
【請求項７】
前記販売情報をファクシミリ装置で生産者に送信することを特徴とする請求項６記載の直売所システム。
【請求項８】
生産者にその日の売れ筋の情報をファクシミリ装置で送信することを特徴とする請求項７記載の直売所システム。
【請求項９】
少なくとも生産者を特定するための生産者コードと生産物の名称及びその単位価格を含む情報を記したラベルを生産物に貼って販売し、ラベルから情報を読み取り精算処理する精算処理システムと、
該精算処理システムから送られる販売情報を受信し、それらの受信した販売情報を集計処理する集計サーバと、
該集計サーバから送られてくる集計データを受信保持し、生産者を特定するＩＤを入力することにより、生産者が直売所に展示した生産物の数量を入力する入力手段を有し、且つ販売数量とあわせて展示品の残りの個数をウェブ（ＷＥＢ）上で表示する手段を有する販売情報提供サーバと、
を含んで構成される直売所システム。
【請求項１０】
生産者が直売所に展示した生産物の数量が既に設定されている場合は、追加した個数を入力することを特徴とする請求項９記載の直売所システム。
【請求項１１】
生産者の展示した生産物毎に設定値を入力する手段を持ち、展示品の残数が設定値になった時、予め指定されたアドレスに展示品残数が設定値以下になったことを電子メールで通知することを特徴とする請求項９記載の直売所システム。
【請求項１２】
インターネット上の所定の画面上において、直売所に生産物を展示する生産者が、生産物単位に以降の出荷予定数量を入力できる出荷予定入力手段を有することを特徴とする請求項９記載の直売所システム。
【請求項１３】
各生産者の生産物の出荷予定数量を合計し、予め設定された展示数量の適正値と比較し、その差をその生産物を展示する生産者の出荷予定の画面上に表示する表示手段を有することを特徴とする請求項９記載の直売所システム。
【発明の詳細な説明】
【０００１】
【発明の属する技術分野】
本発明は直売所システムに関し、更に詳しくは生産者を特定するための生産者コードと生産物の名称及びその単価を含む情報を記したラベルを生産物に貼って販売し、ＰＯＳシステム又は精算処理システムで販売管理し、生産者からかかってきた電話又は電子メールに対して、その生産者の生産物の販売情報を音声又は電子メールで通知するようにした直売所システムに関する。以下、生産物と商品とは同じ意味で用いることにする。
【０００２】
【従来の技術】
小規模の農産物の生産者が生産物を売る場合、できるだけ間接コストをかけずに、販売する必要がある。そのために、小規模生産者の生産物を取り扱う直売所では、生産者が生産物の値段を決め、生産物に値段を含む生産者の情報の入ったラベルを貼って出荷し、直売所の一隅に展示して販売し、直売所では販売した代金の一部を手数料としてもらい、残りは生産者に支払うという委託販売方式をとっているところが多い。
【０００３】
従来のこの種のシステムとしては、生産者が直接小売店に生産物を運び、小売店ではＰＯＳシステムを利用して、生産者管理、商品管理、販売物品の管理、売り上げ管理、予測管理、販売状況管理等を行なうシステムがある（例えば特許文献１参照）。
【０００４】
また、センタと生産者端末とが接続されたシステムにおいて、出荷予約情報の集計作業の手間を省き、かつデータ直接入力により変換処理を無くするシステムがある（例えば特許文献２参照）。
【０００５】
また、生産者単位で収集された品目別入荷予定数量から品目別等階級別の出荷予定数量を高精度に算出し、この品目別等階級別出荷予定数量と品目別等階級別市場特別仕切単価を含む品目別分荷条件とから市場別の品目別等階級別文荷数量を算出するシステムがある（例えば特許文献３参照）。
【０００６】
この場合において、直売所でのコストを抑えるため、ひいては生産者の収入をできるだけ多くするために入庫管理及び在庫管理を省き、生産物の補充や入れ替えは生産者が行なっている。このような販売形態をとるため、生産者は効率よく自らの生産物を販売するため、随時自分の生産物の販売情報を確認し、自分で  入庫管理及び在庫管理する必要がある。
【０００７】
【特許文献１】
特開２００２−１８３２４５公報（第２頁、第３頁、表２）
【特許文献２】
特開平７−２６２２８４号公報（第３頁、図１）
【特許文献３】
特開２０００−２６９１９４号公報（第５頁、第６頁、図１）
【０００８】
【発明が解決しようとする課題】
このため、できるだけ容易に操作ができ、場所に関係なくそのような販売情報を提供することが課題である。前述した特許文献１では、農家と小売店とを回線で結び、情報の送受を行なっているが、農家側ではパソコンで行なっているため、生産者が販売情報を獲得する手段は、パソコンに限られているという問題があった。
本発明は、このような課題に鑑みてなされものであって、安価に組み上げることができ、操作性のよい直売所システムを提供することを目的としている。
【０００９】
【課題を解決するための手段】
（１）図１は第１の発明の原理ブロック図である。図において、１は少なくとも生産者を特定するための生産者コードと生産物の名称及びその単位価格（単価）を含む情報をバーコードで記したラベルを生産物に貼って販売し、バーコードを読み取り精算処理するＰＯＳシステム、２は該ＰＯＳシステム１から定期的に送られる販売情報を受信し、それらの受信した販売情報を集計処理する集計サーバ、３は該集計サーバ２から定期的に集計データを受信保持し、交換機能を持ち、電話がかかってきた時、同時に送られてくる生産者コードにより指定される生産者の販売情報を音声で通知する販売情報提供サーバである。ここで、生産者コードとは、ある生産者を他の生産者と区別するためのコードであり、生産者ＩＤの意味である。
【００１０】
１０は販売情報提供サーバ３内に含まれるデータベース（ＤＢ）であり、商品管理テーブル及び生産者テーブル等より構成されている。４は、ＰＯＳシステム１、集計サーバ２、販売情報提供サーバ３が相互接続されるネットワークである。５は販売情報提供サーバ３が接続される公衆回線、６は該公衆回線５に接続される生産者である。
【００１１】
このように構成すれば、販売情報提供サーバ３が商品管理と生産者とを管理しているので、生産者６から電話がかかってきたら、販売情報提供サーバ３は生産者６に対して販売情報を音声で通知することができる。従って、本発明によればシステムを安価に組み上げることができ、操作性のよい直売所システムを提供することができる。
（２）請求項２記載の発明は、前記販売情報提供サーバ３内に、各生産者毎の販売情報を蓄積記憶するデータベース１０を設けることを特徴とする。
【００１２】
このように構成すれば、生産者の販売情報を一括管理することができ、都合がよい。
（３）請求項３記載の発明は、前記生産者コードの代わりに発信の電話番号により生産者を特定し、その生産者の販売情報を音声で通知することを特徴とする。
このように構成すれば、生産者コードを設けなくても、電話番号により生産者を特定することができ、販売情報を音声で通知することができる。
（４）請求項４記載の発明は、生産者６が直売所に展示した生産物の数量を生産物別に入力する手段を有し、販売数量と併せて展示品の残りの個数を音声で通知することを特徴とする。
【００１３】
このように構成すれば、生産物の販売を生産者毎に管理することができ、販売数量と併せて展示品の残りの個数を音声で通知することができる。
（５）請求項５記載の発明は、生産者６が直売所に展示した生産物の数量が既に設定されている場合、追加した個数を入力することを特徴とする。
【００１４】
このように構成すれば、生産者６のトータルの販売個数を管理することができる。
（６）請求項６記載の発明は、生産者６の展示した生産物毎に設定値を入力する手段を有し、展示品の残量が設定値になった時、予め指定された電話番号に電話をかけ、その旨を通知することを特徴とする。
このように構成すれば、展示品の残数を生産者６に通知することができるので、生産者６は、商品の補充を行なうことができる。
（７）請求項７記載の発明は、前記販売情報をファクシミリ装置で生産者に送信することを特徴とする。
【００１５】
このように構成すれば、音声で通知するよりも確実に販売情報を認識することができる。
（８）請求項８記載の発明は、生産者６にその日の売れ筋の情報をファクシミリ装置で送信することを特徴とする。
【００１６】
このように構成すれば、売れ筋の商品を手際よく補充することができ、生産物の展示数量の迅速な変更が可能となる。
（９）請求項９記載の発明は、以下の通りである。図２は第２の発明の原理ブロック図である。図において、９は少なくとも生産者を特定するための生産者コードと生産物の名称及びその単位価格（単価）を含む情報よりなるラベルを生産物に貼って販売し、ラベルを読み取り精算処理する精算処理システム、２は該精算処理システム１から送られる販売情報を受信し、それらの受信した販売情報を集計処理する集計サーバ、３Ａは該集計サーバ２から送られてくる集計データを受信保持し、生産者を特定するＩＤを入力することにより、生産者が直売所に展示した生産物の数量を入力する入力手段を有し、且つ販売数量とあわせて展示品の残りの個数をウェブ上で表示する手段を有する販売情報提供サーバである。
【００１７】
７は販売情報提供サーバ３Ａと接続されるインターネット、８は該インターネット７を介して販売情報提供サーバ３Ａと接続されるパソコン（ＰＣ）である。６は生産者であり、各ＰＣ８が生産者６に対応している。
【００１８】
このように構成すれば、販売情報提供サーバ３Ａが商品管理と生産者とを管理しているので、生産者６から商品の販売情報の問い合わせが電子メールで通知されてきたら、販売情報提供サーバ３Ａは生産者６に対して販売情報を電子メールで通知することができる。従って、本発明によればシステムを安価に組み上げることができ、操作性のよい直売所システムを提供することができる。この場合、音声の代わりに文字で通知するので、通知の精度が高くなる。
（１０）請求項１０記載の発明は生産者が直売所に展示した生産物の数量が既に設定されている場合は、追加した個数を入力することを特徴とする。
【００１９】
このように構成すれば、追加した個数を入力することで、生産物の数量を更新することができる。
（１１）請求項１１記載の発明は、生産者の展示した生産物毎に設定値を入力する手段を持ち、展示品の残数が設定値になった時、予め指定されたアドレスに展示品残数が設定値以下になったことを電子メールで通知することを特徴とする。
【００２０】
このように構成すれば、展示品残数が規定値以下になった時に、電子メールで生産者に通知することができ、生産者は当該生産物を補充することができる。
（１２）請求項１２記載の発明は、インターネット上の所定の画面上において、直売所に生産物を展示する生産者が、生産物単位に以降の出荷予定数量を入力できる出荷予定入力手段を有することを特徴とする。
【００２１】
このように構成すれば、生産物単位に出荷予定数量を入力できるようにしているので、出荷予定管理を行なうことができる。
（１３）請求項１３記載の発明は、各生産者の生産物の出荷予定数量を合計し、予め設定された展示数量の適正値と比較し、その差をその生産物を展示する生産者の出荷予定の画面上に表示する表示手段を有することを特徴とする。
【００２２】
このように構成すれば、各生産物の出荷予定数量と予め設定された展示数量の適正値と比較してその差を表示するので、生産者は当該生産物を補充するかどうかを判定することができる。
【００２３】
【発明の実施の形態】
以下、図面を参照して本発明の実施の形態例を詳細に説明する。
図３は第１の発明の一実施の形態例を示すブロック図である。図１と同一のものは、同一の符号を付して示す。図に示すシステムは、図１に示すシステムと同じく、ＰＯＳシステム１と集計サーバ２と販売情報提供サーバ３がネットワーク４により接続され、更に販売情報提供サーバ３が公衆回線５を介して生産者６と接続されたシステムを構成している。この実施の形態例では、生産者６は電話端末４０を介して公衆回線５に接続されている。４１は公衆回線５に接続されるファクシミリ装置（以下ＦＡＸと略す）である。ネットワーク４としては、例えばＬＡＮや専用回線が用いられる。
【００２４】
ＰＯＳシステム１は、消費者が購入希望の商品を、商品のバーコードから読み取り、合計金額を精算処理するシステムである。購入記録は、編集処理して定期的に集計サーバ２に送られる。
【００２５】
ＰＯＳシステム１において、２１はバーコードを読み取るバーコード読取手段、２２は精算処理を行なう精算処理手段、２３は販売情報を記憶する販売情報記憶手段、２４は販売情報記憶手段２３に記憶されている販売情報を編集処理して定期的に集計サーバ２に送る販売情報送信手段である。
【００２６】
集計サーバ２において、３１はＰＯＳシステム１から送られてくる販売情報を受信する販売情報受信手段、３２は販売情報の集計処理を行なう集計処理手段、３３は集計された情報を記憶する集計情報記憶手段、３４は該集計情報記憶手段３３に記憶されている情報を読み出して販売情報提供サーバ３に送る集計情報送信手段である。
【００２７】
販売情報提供サーバ３において、１１は集計サーバ２から送られてくる集計情報を受信する集計情報受信手段、１２は該集計情報受信手段１１で受信した集計情報を記憶する集計情報記憶手段、１３は販売情報を提供する販売情報提供手段、１４は販売情報の提供を音声で行なうための音声合成手段、１５は販売情報提供サーバ３と生産者６とを接続するための電話交換手段、１０Ａは商品の管理情報を記憶する商品管理テーブル、１０Ｂは生産者に関する情報を記憶する生産者テーブルである。商品管理テーブル１０Ａと生産者テーブル１０Ｂとを合わせて図１のデータベース１０を構成する。生産者テーブル１０Ｂの内容は、電話端末４０を用いて生産者６が販売情報提供サーバ３にデータを転送することにより、作成することができる。この種のデータベースを設けると、生産者の販売情報を一括管理することができ、都合がよい。このように構成されたシステムの動作を説明すれば、以下の通りである。
【００２８】
生産者６は、自宅で商品の種類、生産者コード、単価等が付されたバーコードを商品に貼り付ける。そして、バーコードが付された商品は、ＰＯＳシステム１のある所まで、持ってこられ、生産者６は自分の割り当て棚である陳列棚に自分の商品を置く。各生産者毎に商品を置く陳列棚が割り付けられており、各陳列棚には各自の商品が置かれることになる。この状態で、ＰＯＳシステム１を用いた商品取引が始まる。
【００２９】
消費者は商品棚（図示せず）に陳列されている商品の中から希望の商品を希望の個数だけ取り出してＰＯＳシステム１のところまで持ってくる。商品には、商品の種類、生産者コード、単価等が記録されたバーコードが貼られている。ＰＯＳシステム１のオペレータは、消費者の持ってきた商品に付されているバーコードをバーコード読取手段２１で読み取る。
【００３０】
精算処理手段２２は、商品のバーコードを読み取り、商品の種類と単価と数量から合計金額を計算し、消費者が渡した金額を受け取って精算処理を行なう。この時、販売情報記憶手段２３には、生産者コード毎に、商品の種類と販売個数と合計金額（販売情報）が記憶される。販売情報送信手段２４は、販売情報記憶手段２３に記憶されている販売情報を読み出してネットワーク４を介して集計サーバ２に送る。
【００３１】
図４は生産者コードに対応した集計情報データの例を示す図である。生産者コードに対応した商品の販売個数が示されている。例えば、生産者コード１００００１の場合は、大根が１本、にんじんが１０本、きゅうりが１５本販売されることを示している。ここでは、合計金額は省略してある。なお、生産者コードの代わりに生産者の電話番号を用いることができる。
【００３２】
図５は電話番号に対応した集計情報データの例を示す図である。例えば、図４の生産者コードである「１００００１」の代わりに電話番号「０４４−７５４−８４１４」が登録されている。機能は、生産者コードの場合と全く同じである。このようにすれば、生産者コードを設けなくても、電話番号により生産者を特定することができ、販売情報を音声で通知することができる。
【００３３】
集計サーバ２側では、販売情報受信手段３１が販売情報を受信する。受信した販売情報は集計処理手段３２により少なくとも生産者コード毎に集計処理される。集計処理された情報は、集計情報記憶手段３３に記憶される。集計情報送信手段３４は、集計情報記憶手段３３に記憶されている集計情報を読み出して定期的に販売情報提供サーバ３に送る。
【００３４】
販売情報提供サーバ３側では、集計情報受信手段１１が集計情報を受信し、集計情報記憶手段１２に記憶する。一時集計情報記憶手段１２に記憶された情報は、商品管理テーブル１０Ａに記憶される。
【００３５】
ここで、生産者６から販売状況を知るための電話がかかってきたものとする。販売情報提供手段１３は、同時に受けた生産者コード又は電話番号に対応する商品管理テーブル１０Ａに記憶されている販売情報を読み出し、音声合成手段１４に入力する。音声合成手段１４は、入力された文字情報を音声情報に変換して読み上げる。読み上げた音声は、電話交換手段１５を介して生産者６に伝えられ、生産者６は電話端末４０により音声として販売情報を知ることができる。
【００３６】
図６は商品管理テーブル１０Ａの例を示す図である。生産者コード毎に商品名と、販売数と、展示数が記憶されている。例えば、生産者コード１００００１の場合、大根の販売数は５本、展示数は１０本である。同一生産者コードのにんじんの販売数は３本、展示数は１５本である。以下、同様である。
【００３７】
図７は商品管理テーブル１０Ａの他の例を示す図である。図６に示す情報に加えて、警告値が記憶されているものである。例えば、生産者コード１００００１の大根の場合の警告値は２である。警告値２とは、大根が売れて残り少なくなってきたことを生産者に通知するための基準が２本であることを示している。
【００３８】
図８は生産者テーブル１０Ｂの例を示す図である。図に示すように、生産者コードと電話番号とから構成されている。例えば、生産者コード１００００１の電話番号は０４６５−１１−１２３４である。図９は生産者テーブル１０Ｂの他の例を示す図である。この例では、電話番号に加えてＦＡＸがある時のＦＡＸ番号も登録するようにしたものである。例えば、生産者コード１００００１のＦＡＸ番号は０４６５−１１−１２５６である。
【００３９】
このように、本発明によれば、販売情報提供サーバ３が商品管理と生産者とを管理しているので、生産者６から電話がかかってきたら、販売情報提供サーバ３は生産者６に対して販売情報を音声で通知することができる。従って、本発明によれば、システムを安価に組み上げることができ、操作性のよい直売所システムを提供することができる。
【００４０】
ここで、生産者６が本システムの入庫設定をする場合について説明する。この場合には、生産者６から電話端末４０を使用して販売情報提供サーバ３に電話をかける。電話交換手段１５は、販売情報提供サーバ３と生産者６との間にパスを張る。この状態で、電話端末４０から入庫設定である旨を示すコードを入力すると、販売情報提供サーバ３は、そのことを認識する。販売情報提供手段１３は、音声合成手段１４に情報を与え、所定のメッセージを読み上げさせる。
【００４１】
この読み上げが、例えば「商品コードを入力して下さい」というメッセージであると、生産者６は電話端末４０から商品コードを入力する。次に、読み上げが「展示数を入力して下さい」というメッセージであると、生産者６は電話端末４０から展示数を入力する。警告値の設定についても同様にして行なわれる。警告値を設定された商品については、集計情報保存後に、商品管理テーブル１０Ａを確認して、展示残数（展示数−販売数）が警告値に等しいか小さい場合には、販売情報提供手段１３は、生産者テーブル１０Ｂにアクセスし、生産者テーブル１０Ｂから対応する電話番号を読み出し、所定の警告、例えば「商品Ｘの在庫が残り少なくなています。」等の警告メッセージを生産者６側に対して流す。
【００４２】
このようにすれば、展示品の残数を生産者６に通知することができるので、生産者６は商品の補充を行なうことができる。
本発明によれば、生産者６が直売所に展示した生産物の数量を生産物別に入力し、販売数量と展示品の残りの個数を音声で通知することができる。このようにすれば、生産物の販売を生産者毎に管理することができ、販売数量と併せて展示品の残りの個数を音声で通知することができる。
【００４３】
また、本発明によれば、生産者６が直売所に展示した生産物の数量が既に設定されている場合、追加した個数を入力することができる。このようにすれば、生産者６のトータルの販売個数を管理することができる。
【００４４】
前述の実施の形態例では、販売情報を音声で生産者６に通知する場合を例にとったが、本発明はこれに限るものではない。生産者６がＦＡＸ４１を有している場合には、販売情報をＦＡＸ４１で生産者６に通知することができる。このようにすれば、音声で通知するよりも確実に販売情報を認識することができる。
【００４５】
また、販売情報提供サーバ３は、商品管理テーブル１０Ａの内容を分析して、生産者６にその日の売れ筋の情報をＦＡＸ４１で送信することができる。このようにすれば、売れ筋の商品を手際よく補充することができ、生産物の展示数量の迅速な変更ができる。
【００４６】
図１０はＰＯＳシステムの精算処理フローを示す図である。先ず、バーコード読取手段２１にて商品に付されているバーコードを読み取る（Ｓ１）。読み取ったら、売り上げた商品の個数と金額を積算する（Ｓ２）。次に、取引の合計が終了したかどうかチェックする（Ｓ３）。取引が終了していない場合には、ステップＳ１に戻り、バーコードの読み取りを行なう。取引が終了した場合には、精算処理手段２２は精算処理を行ない（Ｓ４）、販売情報記憶手段２３に保存情報として保存する（Ｓ５）。
【００４７】
図１１はＰＯＳシステムの販売情報送信フローを示す図である。先ずカウンタは０から時間計数を行なう（Ｓ１）。そして、計数値が設定値になったかどうかチェックする（Ｓ２）。計数値が設定値になったら、販売情報送信手段２４は、販売情報記憶手段２３から販売情報を読み出して（Ｓ３）、集計サーバ２に販売情報の送信を行なう（Ｓ４）。この結果、ＰＯＳシステムは、一定周期で集計サーバ２に販売情報を送信することになる。
【００４８】
図１２は集計サーバ２での販売情報集計フローを示す図である。販売情報を販売情報受信手段３１で受信すると（Ｓ１）、集計処理手段３２は集計処理を行なう（Ｓ２）。集計処理を行なった結果は、集計情報記憶手段３３に記憶される（Ｓ３）。
【００４９】
図１３は集計サーバ２からの集計情報送信フローを示す図である。先ずカウンタは０から時間計数を行なう（Ｓ１）。そして、計数値が設定値になったかどうかチェックする（Ｓ２）。計数値が設定値になったら、集計情報送信手段３４は、集計情報記憶手段３３から集計情報を読み出して（Ｓ３）、販売情報提供サーバ３に集計情報の送信を行なう（Ｓ４）。この結果、集計サーバ２は、一定周期で販売情報提供サーバ３に販売情報を送信することになる。
【００５０】
図１４は販売情報提供サーバ３での集計情報受信フローを示す図である。先ず、集計情報受信手段１１が集計情報を受信すると（Ｓ１）、集計情報記憶手段１２に集計情報を記憶する（Ｓ２）。
【００５１】
図１５は販売情報提供サーバでの集計情報提供フローを示す図である。電話交換手段１５が電話を受信すると（Ｓ１）、同時に送られてくる生産者コードを受信する（Ｓ２）。販売情報提供手段１３は、送られてきた生産者コードが有効であるかどうかを生産者テーブル１０Ｂをチェックして確認する（Ｓ３）。生産者コードが有効でない場合、販売情報提供手段１３は、再入力の指示を行ない（Ｓ４）、ステップＳ２に戻って、生産者コードの受信を行なう。
【００５２】
生産者コードが有効であった場合、商品管理テーブル１０Ａを参照して生産者コードに対応した集計情報を読み出す（Ｓ５）。次に、販売情報提供手段１３は音声合成手段１４を起動して集計情報の読み上げを行なう（Ｓ６）。読み上げられた情報は、公衆回線５を介して生産者６に音声で伝えられる。
【００５３】
図１６は販売情報提供サーバでの他の集計情報提供フローを示す図である。図１５が生産者コードによるものであったのに比較して、この場合は発信電話番号によるものである。電話交換手段１５は電話を受信すると（Ｓ１）、販売情報提供手段１３はその電話番号が登録された発信電話番号であるかどうかを生産者テーブル１０Ｂを参照してチェックする（Ｓ２）。
【００５４】
当該電話番号が登録された電話番号でない場合には、電話無効とする（Ｓ３）。当該電話番号が登録された電話番号である場合には、販売情報提供手段１３は、商品管理テーブル１０Ａを参照して電話番号に対応した集計情報を読み出す（Ｓ４）。そして、販売情報提供手段１３は読み出した音声合成手段１４を起動して集計情報の読み上げを行なう（Ｓ５）。読み上げられた情報は、公衆回線５を介して生産者６に音声で伝えられる。
【００５５】
図１７は販売情報提供サーバでの設定値入力フローを示す図である。先ず、電話交換手段１５で電話番号を受信すると（Ｓ１）、同時に送られてくる生産者コードを受信する（Ｓ２）。販売情報提供手段１３は、生産者テーブル１０Ｂを参照して受信した生産者コードが有効であるかどうかチェックする（Ｓ３）。生産者コードが無効である場合、生産者６に対して再入力を指示し（Ｓ４）、ステップＳ２に戻る。
【００５６】
生産者コードが有効である場合、販売情報提供手段１３は動作指定を行なう。その動作指定が商品選択指示であった場合、生産者６に向けて音声により商品選択を指示する（Ｓ８）。ここで、生産者６は電話端末４０から商品コードを入力する（Ｓ９）。次に、展示数の入力を指示する（Ｓ１０）。これに応じて生産者が展示数を入力する（Ｓ１１）。
【００５７】
販売情報提供手段１３は、商品コードの入力が有効かどうかをチェックする（Ｓ１２）。無効である場合には、ステップＳ８に戻り、展示数入力をやり直す。有効である場合には、終了確認を指示する（Ｓ１３）。生産者が終了確認を入力すると（Ｓ１４）、終了であるかどうかチェックする（Ｓ１５）。終了でない場合には、ステップＳ８に戻り、終了である場合には、処理は終了する。
【００５８】
ステップＳ５における動作指定が集計情報確認であった場合、販売情報提供手段１３は、商品管理テーブル１０Ａを参照して生産者コードに対応した集計情報を読み出し（Ｓ６）、音声合成手段１４により集計情報の読み上げを行なう（Ｓ７）。この読み上げは、公衆回線５を介して生産者６に音声で伝わる。
【００５９】
図１８は販売情報提供サーバでの商品管理テーブル１０Ａの保存フローを示す図である。先ず集計情報を受信すると（Ｓ１）、集計情報記憶手段１２に集計情報データを保存する（Ｓ２）。集計情報記憶手段１２に一時保存された集計情報は読み出され、商品管理テーブル１０Ａに販売数を保存する（Ｓ３）。
【００６０】
図１９は販売情報提供サーバでの警告電話発信フローを示す図である。販売情報提供手段１３は、商品管理テーブル１０Ａから情報を読み出す（Ｓ１）。次に、販売情報提供手段１３は、（展示数−販売数）≦警告値になったかどうかチェックする（Ｓ２）。（展示数−販売数）≦警告値でない場合には、処理は終了する。（展示数−販売数）≦警告値となった場合には、販売情報提供手段１３は、生産者テーブル１０Ｂの読み出しを行ない、該当する生産者を選択して（Ｓ３）、電話交換手段１５から対応する生産者６に発信して、音声合成手段１４から警告メッセージを流す（Ｓ４）。或いは、ＦＡＸ４１に警告情報を送信する。この警告メッセージを認識した生産者は、直ちに商品の補充を行なう。
【００６１】
図２０は第２の発明の一実施の形態例を示すブロック図である。図２、図３と同一のものは、同一の符号を付して示す。図において、１Ａは少なくとも生産者を特定するための生産者コードと生産物の名称及びその単位価格（単価）を含む情報をラベルを生産物に貼って販売し、ラベルを読み取り精算処理する精算処理システム、２は該精算処理システム１Ａから送られる販売情報を受信し、それらの受信した販売情報を集計処理する集計サーバ、３Ａは該集計サーバ２から送られてくる集計データを受信保持し、生産者を特定するＩＤを入力することにより、生産者が直売所に展示した生産物の数量を入力する入力手段を有し、且つ販売数量とあわせて展示品の残りの個数をウェブ上で表示する手段を有する販売情報提供サーバである。
【００６２】
７は販売情報提供サーバ３Ａと接続されるインターネット、８は該インターネット７を介して販売情報提供サーバ３Ａと接続されるパソコン（ＰＣ）である。６は生産者であり、各ＰＣ８が生産者６に対応している。図に示すシステムは、図３に示すシステムと同じく、精算処理システム１Ａと集計サーバ２と販売情報提供サーバ３Ａがネットワーク４により接続され、更に販売情報提供サーバ３Ａがインターネット７を介して生産者６と接続されたシステムを構成している。この実施の形態例では、生産者６はパソコン（ＰＣ）８を介してインターネット７に接続されている。ネットワーク４としては、例えばＬＡＮや専用回線が用いられる。
【００６３】
精算処理システム１Ａは、消費者が購入希望の商品を、商品のラベルから読み取り、合計金額を精算処理するシステムである。購入記録は、編集処理して定期的に集計サーバ２に送られる。
【００６４】
精算処理システム１Ａにおいて、２１ａはラベル情報を読み取るラベル読取手段、２２は精算処理を行なう精算処理手段、２３は販売情報を記憶する販売情報記憶手段、２４は販売情報記憶手段２３に記憶されている販売情報を編集処理して集計サーバ２に送る販売情報送信手段である。
【００６５】
集計サーバ２において、３１は精算処理システム１Ａから送られてくる販売情報を受信する販売情報受信手段、３２は販売情報の集計処理を行なう集計処理手段、３３は集計された情報を記憶する集計情報記憶手段、３４は該集計情報記憶手段３３に記憶されている情報を読み出して販売情報提供サーバ３Ａに送る集計情報送信手段である。
【００６６】
販売情報提供サーバ３Ａにおいて、１１は集計サーバ２から送られてくる集計情報を受信する集計情報受信手段、１２は該集計情報受信手段１１で受信した集計情報を記憶する集計情報記憶手段、１３は販売情報を提供する販売情報提供手段、１６は生産者情報を入力する生産者情報入力手段、１７は生産者６に電子メールにより情報を通知するメール手段である。１０は各種のテーブルを記憶するデータベースである。このように構成されたシステムの動作を説明すれば、以下の通りである。
【００６７】
生産者６は、自宅で商品の種類、生産者コード、単価等が付されたラベルを商品に貼り付ける。そして、ラベルが付された商品は、精算処理システム１Ａのある所まで、持ってこられ、生産者６は自分の割り当て棚である陳列棚に自分の商品を置く。各生産者毎に商品を置く陳列棚が割り付けられており、各陳列棚には各自の商品が置かれることになる。この状態で、精算処理システム１Ａを用いた商品取引が始まる。
【００６８】
消費者は商品棚（図示せず）に陳列されている商品の中から希望の商品を希望の個数だけ取り出して精算処理システム１Ａのところまで持ってくる。商品には、商品の種類、生産者コード、単価等が記録されたラベルが貼られている。精算処理システム１Ａのオペレータは、消費者の持ってきた商品に付されているラベルに付された情報をラベル読取手段２１ａで読み取る。
【００６９】
精算処理手段２２は、商品のラベルに付された情報を読み取り、商品の種類と単価と数量から合計金額を計算し、消費者が渡した金額を受け取って精算処理を行なう。この時、販売情報記憶手段２３には、生産者コード毎に、商品の種類と販売個数と合計金額（販売情報）が記憶される。販売情報送信手段２４は、販売情報記憶手段２３に記憶されている販売情報を読み出してネットワーク４を介して集計サーバ２に送る。
【００７０】
集計サーバ２側では、販売情報受信手段３１が販売情報を受信する。受信した販売情報は集計処理手段３２により少なくとも生産者コード毎に集計処理される。集計処理された情報は、集計情報記憶手段３３に記憶される。集計情報送信手段３４は、集計情報記憶手段３３に記憶されている集計情報を読み出して販売情報提供サーバ３Ａに送る。
【００７１】
販売情報提供サーバ３Ａ側では、集計情報受信手段１１が集計情報を受信し、集計情報記憶手段１２に記憶する。一時集計情報記憶手段１２に記憶された情報は、データベース１０に記憶される。
【００７２】
ここで、生産者６から販売状況を知るために電子メールによる問い合わせが送信されてきたものとする。販売情報提供手段１３は、同時に受けた生産者コード又は電子メール番号に対応するデータベース１０に記憶されている販売情報を読み出し、メール手段１７は、インターネット７を介してＰＣ８に販売情報を送信する。生産者６はＰＣ８の画面から販売情報を知ることができる。
【００７３】
このように構成すれば、販売情報提供サーバ３Ａが商品管理と生産者とを管理しているので、生産者６から商品の販売情報の問い合わせが電子メールで通知されてきたら、販売情報提供サーバ３Ａは生産者６に対して販売情報を電子メールで通知することができる。従って、本発明によればシステムを安価に組み上げることができ、操作性のよい直売所システムを提供することができる。この場合、音声の代わりに文字で通知するので、通知の精度が高くなる。
【００７４】
図２１は生産者テーブルの例を示す図である。図に示すように、生産者コードと生産者ＩＤとメールアドレスから構成されている。例えば、生産者コード１００００１のメールアドレスは、ｙ−ｔａｎａｋａ＠ｄｏｃｏｍｏ．ｎｅ．ｊｐである。
【００７５】
ここで、生産者６が本システムの入庫設定をする場合について説明する。この場合には、生産者６からパソコン８を使用して販売情報提供サーバ３Ａに電子メールを通知する。メール手段１７は、販売情報提供サーバ３Ａと生産者６との間にパスを張る。この状態で、パソコン８から入庫設定である旨を示すコードを入力すると、販売情報提供サーバ３Ａは、そのことを認識する。販売情報提供手段１３は、メール手段１７に情報を与え、所定のメッセージを通知する。
【００７６】
この通知が、例えば「商品コードを入力して下さい」というメッセージであると、生産者６はパソコン８から商品コードを入力する。次のメッセージが「展示数を入力して下さい」というメッセージであると、生産者６はパソコン８から展示数を入力する。警告値の設定についても同様にして行なわれる。警告値を設定された商品については、集計情報保存後に、データベース１０を確認して、展示残数（展示数−販売数）が警告値に等しいか小さい場合には、販売情報提供手段１３は、データベース１０にアクセスし、生産者テーブルから対応するメールアドレスを読み出し、所定の警告、例えば「商品Ｘの在庫が残り少なくなています。」等の警告メッセージを生産者６側に対して通知する。
【００７７】
このようにすれば、展示品の残数を生産者６に電子メールで通知することができるので、生産者６は商品の補充を行なうことができる。
また、販売情報提供サーバ３Ａは、商品管理テーブルの内容を分析して、生産者６にその日の売れ筋の情報を電子メールで送信することができる。このようにすれば、売れ筋の商品を手際よく補充することができ、生産物の展示数量の迅速な変更ができる。
【００７８】
図２２は販売情報提供サーバでの集計情報表示フローを示す図である。先ずログイン画面を表示する（Ｓ１）。次に、生産者６からの生産者ＩＤを受信する（Ｓ２）。そして、該生産者ＩＤが有効であるかどうかをチェックする（Ｓ３）。有効でない場合には、生産者６に対して再入力の指示を行ない（Ｓ４）、ステップＳ２に戻る。
【００７９】
受信した生産者ＩＤが有効であった場合、生産者ＩＤに対応した集計情報をデータベース１０から読み出す（Ｓ５）。そして、読み出した集計情報をインターネット７経由で生産者６に通知し、ＰＣ８の画面に表示する（Ｓ６）。
【００８０】
図２３は販売情報提供サーバでの設定値入力フローを示す図である。先ず、ログイン画面を表示する（Ｓ１）。次に、生産者６からの生産者ＩＤを受信する（Ｓ２）。そして、該生産者ＩＤが有効であるかどうかをチェックする（Ｓ３）。有効でない場合には、生産者６に対して再入力の指示を行ない（Ｓ４）、ステップＳ２に戻る。
【００８１】
次に、生産者側の作業選択画面を表示する（Ｓ５）。ここで、設定値入力画面を選択すると、設定値入力画面が表示される（Ｓ６）。この状態で生産者６が設定値を入力すると（Ｓ６）、その設定値は販売情報提供サーバ３側で受信される（Ｓ７）。受信された設定値情報は、生産者情報入力手段１６に入力され、処理される。
【００８２】
本発明によれば、設定値を入力するに際し、生産者６が直売所に展示した生産物の数量が既に設定されている場合には、追加した個数を入力するようにすることができる。このようにすれば、追加した個数を入力することで、生産物の数量を更新することができる。
【００８３】
また、本発明によれば、生産者の展示した生産物毎に設定値を入力するようにし、展示品の残数が設定値になった時、予め指定されたアドレスに展示品数が設定値以下になったことを電子メールで通知することができる。
【００８４】
生産者６がインターネット７を介して販売情報提供サーバ３Ａにアクセスし、生産物毎の設定値を入力する。この設定値は、集計情報記憶手段１２に記憶しておく。そして、集計サーバ２から送られてきた情報により、ある生産物の残数が設定値以下になった時には、販売情報提供手段１３がメール手段１７を起動し、生産者６に当該生産物の残数が設定値以下になったことを通知する。
生産者６は、この通知を受けると、売場まで当該生産物を持参して陳列棚に置く。このようにすることで、生産者６は当該生産物を補充することができる。
【００８５】
また、本発明によれば、インターネット上の所定の画面上において、直売所に生産物を展示する生産者が、生産物単位に以降の出荷予定数を入力できるようにすることができる。図２４は出荷予定テーブルの例を示す図である。図に示すように、生産者コードと、商品名と、期日とが記載されている。期日は、４月１日、４月２日と日毎に記載され、当該日毎に出荷する商品の数が記載される。例えば、生産者コード１００００１の生産者は、４月１日には大根を１０本、４月２日には１０本それぞれ出荷する予定であることが分かる。このようにすれば、出荷予定管理を行なうことができる。
【００８６】
また、本発明によれば、各生産者の生産物の出荷予定数量を合計し、予め設定された展示数量の適正値と比較し、その差をその生産物を展示する生産者の出荷予定の画面上に表示するようにすることができる。
【００８７】
このように構成すれば、各生産物の出荷予定数量と予め設定された展示数量の適正値と比較してその差を表示するので、生産者は当該生産物を補充するかどうかを判定することができる。
【００８８】
以上、説明したように、販売情報提供サーバ３Ａと生産者６との間をインターネットで接続し、生産者６のウェブ上に情報を表示するようにしているので、生産者６はその情報を間違いなく認識することができる。
【００８９】
【発明の効果】
以上説明したように、本発明によれば、以下の効果が得られる。
（１）請求項１記載の発明によれば、販売情報提供サーバが商品管理と生産者とを管理しているので、生産者から電話がかかってきたら、販売情報提供サーバは生産者に対して販売情報を音声で通知することができる。従って、本発明によればシステムを安価に組み上げることができ、操作性のよい直売所システムを提供することができる。
（２）請求項２記載の発明によれば、生産者の販売情報を一括管理することができ、都合がよい。
（３）請求項３記載の発明によれば、生産者コードを設けなくても、電話番号により生産者を特定することができ、販売情報を音声で通知することができる。
（４）請求項４記載の発明によれば、生産物の販売を生産者毎に管理することができ、販売数量と併せて展示品の残りの個数を音声で通知することができる。
（５）請求項５記載の発明によれば、生産者のトータルの販売個数を管理することができる。
（６）請求項６記載の発明によれば、展示品の残数を生産者６に通知することができるので、生産者は、商品の補充を行なうことができる。
（７）請求項７記載の発明によれば、音声で通知するよりも確実に販売情報を認識することができる。
（８）請求項８記載の発明によれば、売れ筋の商品を手際よく補充することができ、生産物の展示数量の迅速な変更が可能となる。
（９）請求項９記載の発明によれば、販売情報提供サーバが商品管理と生産者とを管理しているので、生産者から商品の販売情報の問い合わせが電子メールで通知されてきたら、販売情報提供サーバは生産者に対して販売情報を電子メールで通知することができる。従って、本発明によればシステムを安価に組み上げることができ、操作性のよい直売所システムを提供することができる。この場合、音声の代わりに文字で通知するので、通知の精度が高くなる。
（１０）請求項１０記載の発明によれば、追加した個数を入力することで、生産物の数量を更新することができる。
（１１）請求項１１記載の発明によれば、展示品残数が規定値以下になった時に、電子メールで生産者に通知することができ、生産者は当該生産物を補充することができる。
（１２）請求項１２記載の発明によれば、生産物単位に出荷予定数量を入力できるようにしているので、出荷予定管理を行なうことができる。
（１３）請求項１３記載の発明によれば、各生産物の出荷予定数量と予め設定された展示数量の適正値と比較してその差を表示するので、生産者は当該生産物を補充するかどうかを判定することができる。
【００９０】
このように、本発明によれば、安価に組み上げることができ、操作性のよい直売所システムを提供することができる。
【図面の簡単な説明】
【図１】第１の発明の原理ブロック図である。
【図２】第２の発明の原理ブロック図である。
【図３】第１の発明の一実施の形態例を示すブロック図である。
【図４】生産者コードに対応した集計情報データの例を示す図である。
【図５】電話番号に対応した集計情報データの例を示す図である。
【図６】商品管理テーブルの例を示す図である。
【図７】商品管理テーブルの他の例を示す図である。
【図８】生産者テーブルの例を示す図である。
【図９】生産者テーブルの他の例を示す図である。
【図１０】ＰＯＳシステムの精算処理フローを示す図である。
【図１１】ＰＯＳシステムの販売情報送信フローを示す図である。
【図１２】集計サーバでの販売情報集計フローを示す図である。
【図１３】集計サーバからの集計情報送信フローを示す図である。
【図１４】販売情報提供サーバでの集計情報受信フローを示す図である。
【図１５】販売情報提供サーバでの集計情報提供フローを示す図である。
【図１６】販売情報提供サーバでの他の集計情報受信フローを示す図である。
【図１７】販売情報提供サーバでの設定値入力フローを示す図である。
【図１８】販売情報提供サーバでの商品管理テーブルの保存フローを示す図である。
【図１９】販売情報提供サーバでの警告電話発信フローを示す図である。
【図２０】第２の発明の一実施の形態例を示すブロック図である。
【図２１】生産者テーブルの例を示す図である。
【図２２】販売情報提供サーバでの集計情報表示フローを示す図である。
【図２３】販売情報提供サーバでの設定値入力フローを示す図である。
【図２４】出荷予定テーブルの例を示す図である。
【符号の説明】
１  ＰＯＳシステム
２  集計サーバ
３  販売情報提供サーバ
４  ネットワーク
５  公衆回線
６  生産者
１０  データベース
【図１】
2004206657.tif 000003
【図２】
2004206657.tif 000004
【図３】
2004206657.tif 000005
【図４】
2004206657.tif 000006
【図５】
2004206657.tif 000007
【図６】
2004206657.tif 000008
【図７】
2004206657.tif 000009
【図８】
2004206657.tif 000010
【図９】
2004206657.tif 000011
【図１０】
2004206657.tif 000012
【図１１】
2004206657.tif 000013
【図１２】
2004206657.tif 000014
【図１３】
2004206657.tif 000015
【図１４】
2004206657.tif 000016
【図１５】
2004206657.tif 000017
【図１６】
2004206657.tif 000018
【図１７】
2004206657.tif 000019
【図１８】
2004206657.tif 000020
【図１９】
2004206657.tif 000021
【図２０】
2004206657.tif 000022
【図２１】
2004206657.tif 000023
【図２２】
2004206657.tif 000024
【図２３】
2004206657.tif 000025
【図２４】
2004206657.tif 000026